(57)【特許請求の範囲】
【請求項１】
左右に離隔する支柱に対して支柱前後に天板が取付けられ、配線ダクトを支柱間に支持させると共に、該配線ダクトの上面を覆う配線ダクトカバーを、左右の支柱にそれぞれ係止した外れ止め部材と前記配線ダクトにより挟持した作業用テーブル等における配線ダクトカバーの外れ止め装置であって、
前記外れ止め部材は、基片と、前記支柱を挟むように屈曲された屈曲片とからなり、前記屈曲片の所定位置には支柱に形成された係止孔に係止されるように内側に膨出した係止部が形成されるとともに、基片もしくは屈曲片の下端が配線ダクトカバー上面への当接部になっていることを特徴とする配線ダクトカバーの外れ止め装置。
【請求項２】
前記外れ止め部材の基片もしくは屈曲片の一部に、配線ダクトカバーの上面にその下面が当接する平坦な当接片を有する請求項１に記載の配線ダクトカバーの外れ止め装置。
【請求項３】
前記係止部の上下幅が、前記支柱の係止孔の上下幅とほぼ一致するように形成されている請求項１または２に記載の配線ダクトカバーの外れ止め装置。
【請求項４】
前記配線ダクトカバーが、電源プラグの差込口を有する請求項１ないし３のいずれかに記載の配線ダクトカバーの外れ止め装置。
【発明の詳細な説明】
【０００１】
【発明の属する技術分野】
本発明は、配線ダクトカバーの外れ止め装置、特に、左右に離隔する支柱に対して天板を固定してなる作業用テーブル等における配線ダクトカバーの外れ止め装置に関する。
【０００２】
【従来の技術】
従来から、左右に離隔する支柱がベースとなる作業用テーブル等において、前記支柱間に、上方が左右に開口する断面視略コ字型の配線ダクトを取付けるとともに、該配線ダクト内に収容されたコード類等を隠蔽するため、配線ダクトの開口を閉塞するように、配線ダクトの上部に配線ダクトカバーを取付けることがある。
【０００３】
この種の配線ダクトカバーには、その前後端部から下方に屈曲するように屈曲片が形成され、この屈曲片が、配線ダクト本体の前後に係止されることで、前後方向のがたつきが抑制されるとともに、その左右端が支柱に挟まれることで、左右方向のがたつきが抑制されるようになっているものがある。
【０００４】
【発明が解決しようとする課題】
しかしながら、上記のような配線ダクトカバーは、配線ダクトの上部に載置されているだけなので、外部から何らかの力が加わった場合や、配線ダクト内部に何本ものコード類が収容されている場合、上下方向にがたついたり、配線ダクトから外れてしまうという問題があった。
【０００５】
本発明は、このような問題点に着目してなされたもので、配線ダクトカバーの上下方向のがたつきや、配線ダクトからの逸脱を防止できる配線ダクトカバーの外れ止め装置を提供することを目的とする。
【０００６】
【課題を解決するための手段】
上記課題を解決するために、本発明の配線ダクトカバーの外れ止め装置は、左右に離隔する支柱に対して支柱前後に天板が取付けられ、配線ダクトを支柱間に支持させると共に、該配線ダクトの上面を覆う配線ダクトカバーを、左右の支柱にそれぞれ係止した外れ止め部材と前記配線ダクトにより挟持した作業用テーブル等における配線ダクトカバーの外れ止め装置であって、
前記外れ止め部材は、基片と、前記支柱を挟むように屈曲された屈曲片とからなり、前記屈曲片の所定位置には支柱に形成された係止孔に係止されるように内側に膨出した係止部が形成されるとともに、基片もしくは屈曲片の下端が配線ダクトカバー上面への当接部になっていることを特徴としている。
この特徴によれば、外れ止め部材は、その係止部を支柱の係止孔に係止することで、左右の支柱に一体的に取付けられ、配線ダクトカバーは、外れ止め部材の当接部と配線ダクトとに狭持された状態となり、上下の移動が規制されるため、上下方向のがたつきや、配線ダクトからの逸脱が防止される。
【０００７】
本発明の配線ダクトカバーの外れ止め装置は、前記外れ止め部材の基片もしくは屈曲片の一部に、配線ダクトカバーの上面にその下面が当接する平坦な当接片を有することが好ましい。
このようにすれば、外れ止め部材のより大きい面が、配線ダクトカバーの上面に面圧されるので、配線ダクトカバーが配線ダクトに確実に係止される。
【０００８】
本発明の配線ダクトカバーの外れ止め装置は、前記係止部の上下幅が、前記支柱の係止孔の上下幅とほぼ一致するように形成されていることが好ましい。
このようにすれば、係止部の上下幅と支柱の係止孔の上下幅が一致するため、係止部を係止孔に係止させた際に、外れ止め部材における係止部の上下移動が規制されるので、配線ダクトカバーの上下方向のがたつきが確実に規制される。
【０００９】
本発明の配線ダクトカバーの外れ止め装置は、前記配線ダクトカバーが、電源プラグの差込口を有することが好ましい。
このようにすれば、配線ダクトカバーを取り外すことなしに、電源プラグを差し込むことができるとともに、電源プラグを引き抜く際、外れ止め部材により配線ダクトカバーが外れることがない。
【００１０】
【発明の実施の形態】
以下、本発明の第１実施例を図面に基づいて説明すると、図１は、本実施例における配線ダクトカバーの外れ止め装置が適用された作業テーブル１の一部破断図である。
【００１１】
作業テーブル１は、左右に離間した支柱２と、この支柱２に対してブラケット３を介して、前後に取付けられる天板４と、これら天板４の間に取付けられる配線ダクト５と、この配線ダクト５の上面を覆う配線ダクトカバー６とから主に構成されている。
【００１２】
支柱２は、図２、３に示されるように、スチール材等を折曲げ成形することにより中空状に形成され、その前後面は、外方の側面２ａと、この側面２ａの内側における側面２ｂとからなり、側面２ｂは、側面２ａよりも奥方に位置するように形成されている。
【００１３】
また、側面２ａ及び側面２ｂの中央には、ブラケット３の係止爪（図示略）や後述する配線ダクト５の係止爪１０ｅを係止するための係止孔７、８が、それぞれ上下方向に等間隔に複数穿設されている。外側面２ｃには、挿通孔９（図１参照）が設けられており、この挿通孔９を介してコード類Ｃを挿通して配線ダクト５内にコード類Ｃを収容できるようになっている。
【００１４】
配線ダクト５は、図３に示されるように、底面板１０ａと側面板１０ｂとからなる断面略Ｌ字形に形成された１対のＬ字部材１０、１０で構成されている。側面板１０ｂの上端辺には、中央側に屈曲する屈曲片１０ｃが設けられているとともに、その左右端部には、中央側に係止孔８に係止可能な係止爪１０ｅが形成された係止片１０ｄが下方に延びるように設けられている。
【００１５】
これら各Ｌ字部材１０を両支柱２の前後から、係止爪１０ｅを所望の高さの係止孔８に係止させるように取付けることで、支柱２の間に、上方が開口する断面略コ字形の配線ダクト５が形成され、その内部にコード類Ｃが収容できるようになる。
【００１６】
図中６は、配線ダクトカバーであり、左右の支柱２における中腹の内側面２ｅ同士の離間幅とほぼ同寸に形成されており、その左右端部には、支柱２の側面２ｂと内側面２ｄとにより構成される凸状部に嵌合可能な切欠き６ｄが形成されている。
【００１７】
配線ダクトカバー６の前後の端縁から下向きに屈曲する屈曲片６ａ下端部には、上方に屈曲する折り返し片６ｂが形成されている。この折り返し片６ｂの内面と配線ダクト５の側面板１０ｂの上縁との当接により、配線ダクト５の上面での前後のがたつきが防止されるとともに、左右の切欠き６ｄの支柱２の凸状部への嵌合により、配線ダクト５の取付け時における前後左右方向のがたつきが抑制されるようになっている。
【００１８】
図中１１は、ステンレス材からなる外れ止め部材であり、基片１１ａと、この基片１１ａの左右側の遊端から支柱側に屈曲する狭持片１１ｃと、この狭持片１１ｃの先端から外向きに折り返された折り返し片１１ｆとからなる屈曲片１１ｂとで構成されている。
【００１９】
基片１１ａはその前後幅が、支柱２の凸状部の前後幅とほぼ同寸で、かつ、上下幅が係止孔８の上下幅とほぼ同寸となるように形成されている。
【００２０】
狭持片１１ｃは、支柱２の側面２ｂの左右幅とほぼ同寸であり、その中央には、係止孔８に嵌合可能な上面視略Ｖ字形の係止部１１ｄが折曲げ成形されている。
【００２１】
また、折り返し片１１ｆの下端には、下面が基片１１ａ及び屈曲片１１ｂの下面と面一をなす当接片１１ｅが内向きに形成されている。
【００２２】
このように形成された外れ止め部材１１は、２つの屈曲片１１ｂにより支柱２の凸状部が挟まれるように取付けられることで、係止部１１ｄが支柱２の係止孔８に嵌合され、支柱２に一体的に取付けられる。
【００２３】
以下、本発明の第１実施例における作用について説明する。
支柱２の所定高さ位置に取付けられた配線ダクト５の上面を覆うように配線ダクト６を取付けた後に、配線ダクトカバー６の上方に位置する係止孔８に、係止部１１ｄを嵌合させるように、外れ止め部材１１を左右の支柱にそれぞれ取付ける。
【００２４】
ここで、左右の支柱２に取付けられた外れ止め部材１１における基片１１ａ、屈曲片１１ｂ及び当接片１１ｅの下面が配線ダクトカバー６の上面に当接され、配線ダクトカバー６の左右端部が、支柱２に一体的に取付けられた外れ止め部材１１と配線ダクト５とに狭持されて、上下の移動が規制されるため、配線ダクトカバー６の上下方向のがたつきや、配線ダクト５からの逸脱が防止される。
【００２５】
このように、支柱２に対して外れ止め部材１１を取付けるだけで、配線ダクトカバー６の配線ダクト５の上面からの逸脱を確実に防止できるばかりか、外れ止め部材１１は、弾性変形可能な両側の狭持片１１ｃに設けられた係止部１１ｄを係止孔８に対して係脱させることで、支柱２に対して取付けできるので、配線ダクトカバー６の開閉が容易になる。よって、配線ダクト５内の配線作業が行い易くなる。
【００２６】
次に、本発明の第２実施例を図５に基づいて説明する。なお、本実施例の配線ダクトカバー２０以外の構成については、前述の第１実施例と同様のため、同様の符号を付すことで、ここでの詳細な説明は省略することとする。
【００２７】
配線ダクトカバー２０は、カバー部材２０ａとコンセント２４とから構成されており、カバー部材２０ａには、上部に開口する凹部２１が左右方向に設けられているとともに、この凹部２１の上端縁からは、ガイドレール２２が中央に張り出すように形成されている。また、凹部２１の底部には、後述のコンセント２４から延設される電源コードＣ’を挿通するための挿通孔２３がカバー部材２０ａの長手方向に沿って形成されている。
【００２８】
コンセント２４の上部には、電源プラグ２５が差し込まれる差込口２４ａが設けられており、側面には、ガイドレール２２が嵌挿されるガイド溝２４ｂが左右方向に設けられている。
【００２９】
このように形成されたコンセント２４は、ガイドレール２２によりカバー部材２０ａの長手方向に摺動自在に取付けられている。
【００３０】
以上のように構成された本実施例における配線ダクトカバーの外れ止め装置にあっては、カバー部材２０ａに、長手方向に摺動自在なコンセント２４が取付けられているので、配線ダクトカバー２０を取り外すことなしに、所望の位置で電源プラグ２５を差し込むことができるため、使用性が向上するとともに、電源プラグ２５を引き抜く際、外れ止め部材１１により配線ダクトカバー２０が外れることがない。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、上記実施例における外れ止め部材１１はステンレス材を成形したものを用いているが、合成樹脂等で成形されていても良い。
【００３３】
また、当接片１１ｅは、外れ止め部材１１の屈曲片１１ｂにおける折り返し片１１ｆの下端に設けられているが、基片１１ａの下端に設けられていても良い。
【００３４】
本発明は以下の効果を奏する。
【００３５】
（ａ）請求項１項の発明によれば、外れ止め部材は、その係止部を支柱の係止孔に係止することで、左右の支柱に一体的に取付けられ、配線ダクトカバーは、外れ止め装置の当接部と配線ダクトとに狭持された状態となり、上下の移動が規制されるため、上下方向のがたつきや、配線ダクトからの逸脱が防止される。
【００３６】
（ｂ）請求項２項の発明によれば、外れ止め部材のより大きい面が、配線ダクトカバーの上面に面圧されるので、配線ダクトカバーが配線ダクトに確実に係止される。
【００３７】
（ｃ）請求項３項の発明によれば、係止部の上下幅と支柱の係止孔の上下幅が一致するため、係止部を係止孔に係止させた際に、外れ止め部材における係止部の上下移動が規制されるので、配線ダクトカバーの上下方向のがたつきが確実に規制される。
【００３８】
（ｄ）請求項４項の発明によれば、配線ダクトカバーを取り外すことなしに、電源プラグを差し込むことができるとともに、電源プラグを引き抜く際、外れ止め部材により配線ダクトカバーが外れることがない。
【図面の簡単な説明】
【図１】本発明の配線ダクトカバーの外れ止め装置が適用された作業テーブルの一部破断図である。
【図２】図１における配線ダクト及び配線ダクトカバーの取付箇所の一部破断図である。
【図３】図２の分解図である。
【図４】図２の断面図である。
【図５】本発明の第２実施例を示す一部破断図である。
【符号の説明】
１      作業テーブル
２      支柱
２ａ    側面
２ｂ    側面
２ｃ    外側面
２ｄ    内側面
２ｅ    内側面
３      ブラケット
４      天板
５      配線ダクト
６      配線ダクトカバー
６ａ    屈曲片
６ｂ    折り返し片
６ｄ    切欠き
７、８  係止孔
９      挿通孔
１０    Ｌ字部材
１０ａ  底面板
１０ｂ  側面板
１０ｃ  屈曲片
１０ｄ  係止片
１０ｅ  係止爪
１１    外れ止め部材 
１１ａ  基片
１１ｂ  屈曲片
１１ｃ  狭持片
１１ｄ  係止部
１１ｅ  当接片
１１ｆ  折り返し片
２０    配線ダクトカバー
２０ａ  カバー部材
２１    凹部
２２    ガイドレール
２３    挿通孔
２４    コンセント
２４ａ  差込口
２４ｂ  ガイド溝
２５    電源プラグ
Ｃ      コード類
Ｃ’    電源コード
【図１】
0004414019.tif 000002
【図２】
0004414019.tif 000003
【図３】
0004414019.tif 000004
【図４】
0004414019.tif 000005
【図５】
0004414019.tif 000006